(57)【要約】      （修正有）【課題】袢天製作に伴う複雑な工程を簡素化してコストダウンし、祭りや各種イベント等を開催するクライアントによる袢天の販売価格を安くとの要望に応えることが可能な袢天の提供と袢天の製作に要する材料生地、染色、裁断及び縫製等における作業時間等のロスを少なくすると共に、円滑にかつ迅速に製作することが可能な袢天を提供する。【解決手段】袢天を構成する、前身頃１、後見頃、衿部、両袖部４、５、両脇部６、７、裁断線、表示部８及びデザイン部９を含む１枚の表地全体に文字、図形、模様、線及び色彩を染色する。染色された生地体の不用部分を裁断し、衿部３の無地部分及び前身頃１と後見頃２を肩線で折りこむ。さらに、両袖部４、５の下端縁及び両脇部６、７、の側縁を縫製して、袢天を形成する。【選択図】図３
0003169621.tif 000002
【実用新案登録請求の範囲】
【請求項１】
祭礼や各種イベント又は仕事着として着用する簡易仕立袢天であって、
袢天を構成する、前身頃、後見頃、衿部、両袖部、両脇部、裁断線、表示部及びデザイン部を含む１枚の表地全体に文字、図形、模様、線及び色彩を染色する染色工程と、
前記染色された生地体の不用部分を裁断する裁断工程と、
衿部の無地部分及び前身頃と後見頃を肩線で折りこむ折込工程と、
両袖部の下端縁及び両脇部の側縁を縫製する縫製工程と、を経て製作される、
ことを特徴とする簡易仕立袢天。
【請求項２】
前記染色工程において、
前記衿部は前身頃の中央部で一体的に染色される、
ことを特徴とする請求項１に記載の簡易仕立袢天。
【請求項３】
前記裁断工程において、
前記衿部を残して前記前身頃の中央部、左右両脇部及び前記後見頃の左右両脇部を同時に裁断する、
ことを特徴とする請求項１又は請求項２の何れかに記載の簡易仕立袢天。
【請求項４】
前記縫製工程において、
前記衿部左右の端縁は、バイアステープ又は共生地を用いて縫製されるか又は、前記衿部は、左右に折り返して縫製する、
ことを特徴とする請求項１〜請求項３の何れかに記載の簡易仕立袢天。
【請求項５】
前記縫製工程において、
前記両袖部の下端縁及び両脇部の側縁は、前記前身頃と後見頃の肩線で折りこまれた後に縫製される、
ことを特徴とする請求項１〜請求項４の何れかに記載の簡易仕立袢天。
【請求項６】
前記縫製工程において、
前記衿部における衿ぐりは、バイアステープ又は共生地を用いて縫製される、
ことを特徴とする請求項１〜請求項５の何れかに記載の簡易仕立袢天。
【請求項７】
前記縫製工程において、
裾部は三つ折りで縫製される、
ことを特徴とする請求項１〜請求項６の何れかに記載の簡易仕立袢天。
【請求項８】
前記生地体の素材が綿又はポリエステルもしくは綿とポリエステルの混紡繊維からなる、
ことを特徴とする請求項１〜請求項７の何れかに記載の簡易仕立袢天。
【考案の詳細な説明】
【技術分野】
【０００１】
本考案は、簡易仕立袢天に係り、より詳しくは、神社等の祭り、企業による展示会又は地域行事等の各種イベントにおける上衣として、又は飲食関係店舗、量販店等の従業員の仕事着として着用される簡易仕立袢天に関する。      
【背景技術】
【０００２】
袢天は、祭りや展示会等の各種イベント全体の雰囲気を盛り上げるものであり、またこれを着用することによって、祭りの参加者やスタッフ等は昂揚感と共に仲間意識や一体感が高まり、祭りやイベントの円滑な進行が図られる必須アイテムである。
【０００３】
従来の袢天Ｈ１０の製作について図７及び図８を参照にして説明する。文字、図形、模様、及び色彩等を染色するための版下の作成工程においては、衿部１１、両身頃１２、１３及び両袖部１４、１５をそれぞれに作成し、染色工程においては、衿部１１と前身頃１２及び後身頃１３を別々に染色し、裁断工程においては、衿部１１と両身頃１２、１３及び両袖部１４、１５をそれぞれ裁断し、縫製工程においては、衿部１１は裁断された前身頃１２の左右にわさ折りにして縫製され、左右の袖部１４、１５はそれぞれ両身頃１２、１３の上部左右に縫製されていた。
【０００４】
袢天の製作方法等について、本願出願人による特許文献等に関する先行技術を調査したところ、関連する特許文献は検索されなかった。参考文献として特許文献１（第１頁、図１参照）が発見された。特許文献１の「上着」は、混雑したイベント会場などにおいて探したい相手が後ろからでも直ぐ探すことができ、相手にも不快な思いをさせることのない袢天などに使用できる上着の提供を課題とし、その解決手段は、背面に宣伝用または紹介用の説明を表示した表示布を本体に着脱手段により着脱自在に取り付けてあり、前記着脱手段は、面ファスナーまたはスナップボタンであることを特徴とするものである。
【先行技術文献】
【特許文献】
【０００５】
【特許文献１】実用新案登録第３１１０３２７号公報
【考案の概要】
【考案が解決しようとする課題】
【０００６】
しかしながら、上記のような従来における袢天の製作工程は、きわめて複雑であるために、コスト高ひいては販売価格のアップにつながり、予算が少ない各種イベント等においては袢天の購入、使用を控えることが多くなっている。また染色するための版下作成、製作材料費、縫製作業等においては、多くのロスがあり、近年のエコロジー思想に相反するという問題点もあった。
【０００７】
本願考案者は、上記従来技術の問題点を解消するために、鋭意検討を重ねて本考案を完成したものである。そこで本考案が解決しようとする課題は、以下の通りである。
すなわち、
（１）第１の課題は、袢天製作に伴う複雑な工程を簡素化してコストダウンし、祭りや各種イベント等を開催するクライアントによる袢天の販売価格を安価にとの要望に応えることが可能な簡易仕立袢天の提供である。
（２）第２の課題は、袢天の製作に要する材料生地、染色、裁断及び縫製等における作業時間等のロスを少なくすると共に、円滑かつ迅速に製作することが可能な簡易仕立袢天の提供である。
（３）第３の課題は、通気性が良好で速乾性があり、祭りや各種イベント等における着用に適する簡易仕立袢天の提供である。
【課題を解決するための手段】
【０００８】
課題を解決するための手段は、本願、実用新案登録請求の範囲の各請求項に記載の考案であり、その具体的な解決手段は、以下の通りである。
本願考案における実用新案登録請求の範囲、明細書及び要約書等に記載する用語についての解釈上の疑義を解消すべく、以下に用語の説明を行う。
＊＊＊＊＊＊＊＊＊＊＊＊＊＊＊＊＊＊＊＊＊＊＊＊＊＊＊＊＊＊＊＊＊＊＊＊＊
●「袢天・はんてん」とは、丈が短く、脇部に襠がない、袖部が短く袖口が小さく、襟を反して着ない上衣をいう。
袢纏、半纏とも標記され、祭りにおける神輿を担ぐ人及び世話役等の関係者が着用したり、企業等の展示会、キャンペーン等のイベントや宣伝広報活動等においては、主催者やスタッフ等が着用し、イベント等の興趣、雰囲気等を盛り上げるアイテムとして必須である。
また、町内会等の地域行事、会社創立記念行事等においても着用される場合がある。
さらに、飲食業、例えば、居酒屋チェーン店における従業員が上衣として着用し、店の活気、雰囲気を高め、来客は楽しく飲食し、客足の増加を図るために用いられる。
なお、祭りやイベント等で着用される「法被・はっぴ」は、丈が長く、脇部が空く襠がある、広い裾、袖部が長い、胸紐が有る、襟を反して着ない上衣をいう。
●「わさ折り」とは、生地体を切り離さないでそのまま折ること、又は折った（縫込みなし）所をいう。「共生地」とは、同じ材質の生地体をいう。
●「インターロック」とは、５本の糸で地縫いとかがり縫いを１度にして縫製すること、あるいは方法をいう。
＊＊＊＊＊＊＊＊＊＊＊＊＊＊＊＊＊＊＊＊＊＊＊＊＊＊＊＊＊＊＊＊＊＊＊＊＊＊
【０００９】
上記の課題を解決するための第１の考案は、請求項１に記載の考案であり、
祭礼や各種イベント又は仕事着として着用する簡易仕立袢天であって、
袢天を構成する、前身頃、後見頃、衿部、両袖部、両脇部、裁断線、表示部及びデザイン部を含む１枚の表地全体に文字、図形、模様、線及び色彩を染色する染色工程と、
前記染色された生地体の不用部分を裁断する裁断工程と、
衿部の無地部分及び前身頃と後見頃を肩線で折りこむ折込工程と、
両袖部の下端縁及び両脇部の側縁を縫製する縫製工程と、を経て製作される、ことを特徴としている。
【００１０】
上記の課題を解決するための第２の考案は、請求項２に記載の考案であり、
前記染色工程において、
前記衿部は前身頃の中央部で一体的に染色される、
ことを特徴としている。
【００１１】
上記の課題を解決するための第３の考案は、請求項３に記載の考案であり、
前記裁断工程において、
前記衿部を残して前記前身頃の中央部、左右両脇部及び前記後見頃の左右両脇部を同時に裁断する、
ことを特徴としている。
【００１２】
上記の課題を解決するための第４の考案は、請求項４に記載の考案であり、
前記縫製工程において、
前記衿部左右の端縁は、バイアステープ又は共生地を用いて縫製されるか又は、前記衿部は、左右に折り返して縫製する、
ことを特徴としている。
【００１３】
上記の課題を解決するための第５の考案は、請求項５に記載の考案であり、
前記縫製工程において、
前記両袖部の下端縁及び両脇部の側縁は、前記前身頃と後見頃の肩線で折りこまれた後に縫製される、
ことを特徴としている。
【００１４】
上記の課題を解決するための第６の考案は、請求項６に記載の考案であり、
前記縫製工程において、
前記衿部における衿ぐりは、バイアステープ又は共生地を用いて縫製される、
ことを特徴としている。
【００１５】
上記の課題を解決するための第７の考案は、請求項７に記載の考案であり、
前記縫製工程において、
裾部は三つ折りで縫製される、
ことを特徴としている。
【００１６】
上記の課題を解決するための第８の考案は、請求項８に記載の考案であり、
前記生地体の素材が綿又はポリエステルもしくは綿とポリエステルの混紡繊維からなる、
ことを特徴としている。
【考案の効果】
【００１７】
本考案に係る、簡易仕立袢天は、上記のような特徴的構成要件から構成され、特徴的構成要件に応じた、以下のような本願考案特有の効果を奏する。
また上記のような特徴的構成要件から構成された簡易仕立袢天によれば、本願考案の課題を十分解決することができた。
すなわち、第１の考案によれば、「祭礼や各種イベント又は仕事着として着用する簡易仕立袢天であって、袢天を構成する、前身頃、後見頃、衿部、両袖部、両脇部、裁断線、表示部及びデザイン部を含む１枚の表地全体に文字、図形、模様、線及び色彩を染色する染色工程と、前記染色された生地体の不用部分を裁断する裁断工程と、衿部の無地部分及び前身頃と後見頃を肩線で折りこむ折込工程と、両袖部の下端縁及び両脇部の側縁を縫製する縫製工程と、を経て製作される」という特徴的構成により、
袢天製作に伴う複雑な工程を簡素化してコストダウンし、祭りや各種イベント等を開催するクライアントによる袢天の販売価格を安価にとの要望に応えることが可能な簡易仕立袢天の提供という、第１の課題を解決することができた。
また、第２の考案によれば、「前記染色工程において、前記衿部は前身頃の中央部で一体的に染色される」という特徴的構成により、
袢天製作に伴う複雑な工程を簡素化してコストダウンし、祭りや各種イベント等を開催するクライアントによる袢天の販売価格を安価にとの要望に応えることが可能な簡易仕立袢天の提供という、第１の課題を解決することができた。
【００１８】
第３の考案によれば、「前記裁断工程において、前記衿部を残して前記前身頃の中央部、左右両脇部及び前記後見頃の左右両脇部を同時に裁断する」という特徴的構成により、
また、第４の考案によれば、「前記縫製工程において、前記衿部左右の端縁は、バイアステープ又は共生地を用いて縫製されるか又は、前記衿部は、左右に折り返して縫製する」という特徴的構成により、
また、第５の考案によれば、「前記縫製工程において、前記両袖部の下端縁及び両脇部の側縁は、前記前身頃と後見頃の肩線で折りこまれた後に縫製される」という特徴的構成により、
また、第６の考案によれば、「前記縫製工程において、前記衿部における衿ぐりは、バイアステープ又は共生地を用いて縫製される」という特徴的構成により、
また、第７の考案によれば、「前記縫製工程において、裾部は三つ折りで縫製される」という特徴的構成により、
袢天の製作に要する材料生地、染色、裁断及び縫製等における作業時間等のロスを少なくすると共に、円滑かつ迅速に製作することが可能な簡易仕立袢天の提供という、第２の課題を解決することができた。
【００１９】
第８の考案によれば、「前記生地体の素材が綿又はポリエステルもしくは綿とポリエステルの混紡繊維からなる」という特徴的構成により、
通気性が良好で速乾性があり、祭りや各種イベント等における着用に適する簡易仕立袢天の提供という、第３の課題を解決することができた。
【図面の簡単な説明】
【００２０】
【図１】は、本考案に係る、第１実施形態である簡易仕立袢天の生地体の平面図である。
【図２】は、同生地体を染色後、裁断工程から縫製工程までの工程を説明する製作工程説明図で、（ａ）は裁断前の生地体の平面図、（ｂ）は裁断後の生地体の平面図、（ｃ）は縫製前の平面図である。
【図３】（ａ）は、縫製工程終了後の簡易仕立袢天の正面図、（ｂ）は背面図である。
【図４】は、本考案に係る、第２実施形態である簡易仕立袢天の生地体の平面図である。
【図５】は、同上生地体を染色後、裁断工程から縫製工程までの工程を説明する製作工程説明図で、（ａ）は裁断前の生地体の平面図、（ｂ）は裁断後の生地体の平面図、（ｃ）は縫製前の平面図である。
【図６】（ａ）は、同上縫製工程終了後の簡易仕立袢天の正面図、（ｂ）は背面図である。
【図７】は、従来における袢天製作工程を説明するための生地体の平面図である。
【図８】は、従来の製作工程で製作された袢天の完成（仕上げ）状態を示すもので、（ａ）は正面図、（ｂ）は背面図である。
【考案を実施するための形態】
【００２１】
図１は、本考案に係る、簡易仕立袢天（以下、袢天Ｈという）の染色が行われる前の生地体Ａを示している。
生地体Ａの素材として綿又はポリエステルもしくは綿とポリエステルの混紡繊維が好ましい。袢天Ｈは祭りや各種イベントの参加者又は飲食店の従業員等が上衣として着用し激しく動き回り発汗が著しいので、通気性が良好で速乾性がある綿又はポリエステルが好適である。
図中、一点鎖線は裁断線、破線は折込線又は肩線で、斜線（ハッティング）部分は、裁断機等にて切除される部分を示している。
Ｃは前身頃１及び後見頃２における裾部１０の裁断線で、Ｃａは左袖部４の裁断線、Ｃｂは左脇部６の裁断線、Ｃｃは右袖部５の裁断線、Ｃｄは右脇部７の裁断線、Ｃｅは後見頃２の左袖部４の裁断線、Ｃｆは後見頃２の左脇部６の裁断線、Ｃｇは後見頃２の右袖部５の裁断線、Ｃｈは右脇部７の裁断線である。
Ｃｉは衿部３及び衿ぐり３ａを形成するための裁断線、ＳＬは肩線で、前身頃１と後見頃２の境界線である。
【００２２】
図２（ａ）は、生地体（表地全体）Ａに文字、模様等を染色後の状態を示している。
１は前身頃、２は後見頃、３は衿部で一重のままで染色される。
３ａは衿ぐり、４は左袖部、５は右袖部、６は左脇部、７は右脇部、８は表示部で例えば、後見頃２の背中部分に染色している「祭」や衿部３の「いらっしゃいませ」等の文字である。９はデザイン部で、例えば、図示するように、両袖部４、５や裾部１０に市松模様等を染色することができる。
【００２３】
図２（ｂ）は、裁断機等によって両袖部４、５、両脇部６、７、裾部１０、衿部３及び衿ぐり３ａ等を同時に裁断した後の状態を示している（図１、参照）。
衿部３及び衿ぐり３ａの端縁は、補強材としてバイアステープ又は共生地３ｂを用いてそれぞれ縫着される。図２（ｃ）における矢印ｄに示すように、前身頃１は肩線ＳＬで折り込まれ後見頃２に接合され、縫製工程に進み、前身頃１と後見頃２における両袖部４、５の下端縁４ａ、５ａは縫着される。両脇部６、７は、５本の糸で地縫いとかがり縫いを１度にして縫着する、いわゆるインターロック縫いされる。また裾部１０は、三つ折りで縫着し、図３（ａ）に示すように、衿部３の左右に胸紐ＳＲを縫着して縫製工程は終了し、袢天Ｈの製作は完了する。
【００２４】
図３（ａ）及び（ｂ）は、縫製工程終了後の袢天Ｈを示している。本考案における簡易仕立袢天Ｈの製作は、袢天製作に伴う複雑な工程を簡素化してコストダウンし、祭りや各種イベント等を開催するクライアントによる袢天Ｈの販売価格を安価にという要望と、袢天Ｈの製作に要する材料生地、染色、裁断及び縫製等における作業時間等のロスを少なくすると共に、円滑にかつ迅速に製作するという課題を解決し、祭りや企業等の展示会、キャンペーン等のイベント、あるいは町内会等の地域行事、会社創立記念行事等においても多数着用し、イベント等の興趣、雰囲気等をおおいに盛り上げることができる、有意義な考案である。
【００２５】
図４〜図６は、本考案に係る袢天Ｈ２の第２の実施形態を示し、図４は染色が行われる前の生地体Ａ２を示している。生地体Ａ２の素材としては、第１実施形態と同様に綿又はポリエステルもしくは綿とポリエステルの混紡繊維が好適である。生地体Ａ２と第１実施形態における生地体Ａとの相違点は、衿部３にあり、生地体Ａ２には衿部３の左右に折込線Ｃｊ、Ｃｊが設けられ、当該折込線Ｃｊ、Ｃｊの内側に衿部３を形成するための裁断線Ｃｉ、Ｃｉが設けられている点にある。
図中の一点鎖線、破線及び斜線（ハッティング）部分等は、第１実施形態と同様であるから、その説明は省略する。
【００２６】
図５（ａ）は、生地体（表地全体）Ａ２に文字、模様等を染色後の状態を示している。図５（ｂ）は、裁断機等によって両袖部４、５、両脇部６、７、裾部１０、衿部３及び衿ぐり３ａ等を同時に裁断した後の状態を示している。
衿部３は、その左右に設けられた折込線Ｃｊ、Ｃｊが矢印ｄ、ｄで示すように山折りされて縫着される。
図５（ｃ）における矢印ｄに示すように、前身頃１は肩線ＳＬで折り込まれ、後見頃２に接合され、縫製工程に進み、前身頃１と後見頃２における両袖部４、５の下端縁４ａ、５ａは縫着される。両脇部６、７は、５本の糸で地縫いとかがり縫いを１度にして縫着する、いわゆるインターロック縫いされる。
また裾部１０は、三つ折りで縫着されて縫製工程は終了し、袢天Ｈ２の製作は完了する。
図６（ａ）及び（ｂ）は、縫製工程終了後の袢天Ｈ２を示している。
【符号の説明】
【００２７】
Ｈ、Ｈ２            袢天
Ａ、Ａ２            生地体（表地全体）
Ｃ                  裁断線
Ｃｊ                折込線
ＳＬ                肩線
ＳＲ                胸紐
１                  前身頃
２                  後見頃
３                  衿部
３ａ                衿ぐり
３ｂ                バイアステープ又は共生地
４、５              両袖部
６、７              両脇部
８                  表示部
９                  デザイン部  
１０                裾部
【図１】
0003169621.tif 000003
【図２】
0003169621.tif 000004
【図３】
0003169621.tif 000005
【図４】
0003169621.tif 000006
【図５】
0003169621.tif 000007
【図６】
0003169621.tif 000008
【図７】
0003169621.tif 000009
【図８】
0003169621.tif 000010
【手続補正書】
【提出日】平成23年6月5日(2011.6.5)
【手続補正１】
【補正対象書類名】実用新案登録請求の範囲
【補正対象項目名】全文
【補正方法】変更
【補正の内容】
【実用新案登録請求の範囲】
【請求項１】
祭礼や各種イベント又は仕事着として着用する簡易仕立袢天であって、
袢天を構成する、前身頃、後見頃、衿部、両袖部、両脇部、裁断線、表示部、裾部及びデザイン部を含む１枚の表地全体に文字、図形、模様、線及び色彩を染色し、
前記染色された生地体の不用部分を裁断し、
衿部の無地部分及び前身頃と後見頃を肩線で折りこみ、
両袖部の下端縁及び両脇部の側縁を縫製した、
ことを特徴とする簡易仕立袢天。
【請求項２】
前記衿部は前身頃の中央部で一体的に染色されている、
ことを特徴とする請求項１に記載の簡易仕立袢天。
【請求項３】
前記衿部を残して前記前身頃の中央部、左右両脇部及び前記後見頃の左右両脇部は裁断されている、
ことを特徴とする請求項１又は請求項２の何れかに記載の簡易仕立袢天。
【請求項４】
前記衿部左右の端縁は、バイアステープ又は共生地を用いて縫製されるか又は、前記衿部は、左右に折り返して縫製されている、
ことを特徴とする請求項１〜請求項３の何れかに記載の簡易仕立袢天。
【請求項５】
前記両袖部の下端縁及び両脇部の側縁は、前記前身頃と後見頃の肩線で折りこんで縫製されている、
ことを特徴とする請求項１に記載の簡易仕立袢天。
【請求項６】
前記衿部における衿ぐりは、バイアステープ又は共生地を用いて縫製されている、
ことを特徴とする請求項１〜請求項４の何れかに記載の簡易仕立袢天。
【請求項７】
前記裾部が三つ折りで縫製されている、
ことを特徴とする請求項１に記載の簡易仕立袢天。
【請求項８】
前記生地体の素材が綿又はポリエステルもしくは綿とポリエステルの混紡繊維からなる、
ことを特徴とする請求項１〜請求項７の何れかに記載の簡易仕立袢天。
【手続補正２】
【補正対象書類名】明細書
【補正対象項目名】全文
【補正方法】変更
【補正の内容】
【考案の詳細な説明】
【技術分野】
【０００１】
本考案は、簡易仕立袢天に係り、より詳しくは、神社等の祭り、企業による展示会又は地域行事等の各種イベントにおける上衣として、又は飲食関係店舗、量販店等の従業員の仕事着として着用される簡易仕立袢天に関する。
【背景技術】
【０００２】
袢天は、祭りや展示会等の各種イベント全体の雰囲気を盛り上げるものであり、またこれを着用することによって、祭りの参加者やスタッフ等は昂揚感と共に仲間意識や一体感が高まり、祭りやイベントの円滑な進行が図られる必須アイテムである。
【０００３】
従来の袢天Ｈ１０の製作について図７及び図８を参照にして説明する。文字、図形、模様、及び色彩等を染色するための版下の作成工程においては、衿部１１、両身頃１２、１３及び両袖部１４、１５をそれぞれに作成し、染色工程においては、衿部１１と前身頃１２及び後身頃１３を別々に染色し、裁断工程においては、衿部１１と両身頃１２、１３及び両袖部１４、１５をそれぞれ裁断し、縫製工程においては、衿部１１は裁断された前身頃１２の左右にわさ折りにして縫製され、左右の袖部１４、１５はそれぞれ両身頃１２、１３の上部左右に縫製されていた。
【０００４】
袢天の製作方法等について、本願出願人による特許文献等に関する先行技術を調査したところ、関連する特許文献は検索されなかった。参考文献として特許文献１（第１頁、図１参照）が発見された。特許文献１の「上着」は、混雑したイベント会場などにおいて探したい相手が後ろからでも直ぐ探すことができ、相手にも不快な思いをさせることのないはんてんなどに使用できる上着の提供を課題とし、その解決手段は、背面に宣伝用または紹介用の説明を表示した表示布を本体に着脱手段により着脱自在に取り付けてあり、前記着脱手段は、面ファスナーまたはスナップボタンであることを特徴とするものである。
【先行技術文献】
【特許文献】
【０００５】
【特許文献１】実用新案登録第３１１０３２７号公報
【考案の概要】
【考案が解決しようとする課題】
【０００６】
しかしながら、上記のような従来における袢天の製作工程は、きわめて複雑であるために、コスト高ひいては販売価格のアップにつながり、予算が少ない各種イベント等においては袢天の購入、使用を控えることが多くなっている。また染色するための版下作成、製作材料費、縫製作業等においては、多くのロスがあり、近年のエコロジー思想に相反するという問題点もあった。
【０００７】
本願考案者は、上記従来技術の問題点を解消するために、鋭意検討を重ねて本考案を完成したものである。そこで本考案が解決しようとする課題は、以下の通りである。
すなわち、
（１）第１の課題は、袢天製作に伴う複雑な工程を簡素化してコストダウンし、祭りや各種イベント等を開催するクライアントによる袢天の販売価格を安価にとの要望に応えることが可能な簡易仕立袢天の提供である。
（２）第２の課題は、袢天の製作に要する材料生地、染色、裁断及び縫製等におけ
る作業時間等のロスを少なくすると共に、円滑かつ迅速に製作することが可能
な簡易仕立袢天の提供である。
（３）第３の課題は、通気性が良好で速乾性があり、祭りや各種イベント等におけ
る着用に適する簡易仕立袢天の提供である。
【課題を解決するための手段】
【０００８】
課題を解決するための手段は、本願、実用新案登録請求の範囲の各請求項に記載の考案であり、その具体的な解決手段は、以下の通りである。本願考案における実用新案登録請求の範囲、明細書及び要約書等に記載する用語についての解釈上の疑義を解消すべく、以下に用語の説明を行う。
＊＊＊＊＊＊＊＊＊＊＊＊＊＊＊＊＊＊＊＊＊＊＊＊＊＊＊＊＊＊＊＊＊
○「袢天・はんてん」とは、丈が短く、脇部に襠がない、袖部が短く袖口が小さく、襟を反して着ない上衣をいう。袢纏、半纏とも標記され、祭りにおける神輿を担ぐ人及び世話役等の関係者が着用したり、企業等の展示会、キャンペーン等のイベントや宣伝広報活動等においては、主催者やスタッフ等が着用し、イベント等の興趣、雰囲気等を盛り上げるアイテムとして必須である。また町内会等の地域行事、会社創立記念行事等においても着用される場合がある。さらに、飲食業、例えば、居酒屋チェーン店における従業員が上衣として着用し、店の活気、雰囲気を高め、来客は楽しく飲食し、客足の増加を図るために用いられる。なお、祭りやイベント等で着用される「法被・はっぴ」は、丈が長く、脇部が空く襠がある、広い裾、袖部が長い、胸紐が有る、襟を反して着ない上衣をいう。
○「わさ折り」とは、生地体を切り離さないでそのまま折ること、又は折った（縫込みなし）所をいう。「共生地」とは、同じ材質の生地体をいう。
○「インターロック」とは、５本の糸で地縫いとかがり縫いを１度にして縫製すること、あるいは方法をいう。
＊＊＊＊＊＊＊＊＊＊＊＊＊＊＊＊＊＊＊＊＊＊＊＊＊＊＊＊＊＊＊＊＊＊＊
【０００９】
上記の課題を解決するための第１の考案は、請求項１に記載の考案であり、
祭礼や各種イベント又は仕事着として着用する簡易仕立袢天であって、袢天を構成する、前身頃、後見頃、衿部、両袖部、両脇部、裁断線、表示部、裾部及びデザイン部を含む１枚の表地全体に文字、図形、模様、線及び色彩を染色し、前記染色された生地体の不用部分を裁断し、衿部の無地部分及び前身頃と後見頃を肩線で折りこみ、両袖部の下端縁及び両脇部の側縁を縫製した、ことを特徴と
している。
【００１０】
上記の課題を解決するための第２の考案は、請求項２に記載の考案であり、
前記衿部は前身頃の中央部で一体的に染色されている、ことを特徴している。
【００１１】
上記の課題を解決するための第３の考案は、請求項３に記載の考案であり、
前記衿部を残して前記前身頃の中央部、左右両脇部及び前記後見頃の左右両脇部は裁断されている、ことを特徴としている。
【００１２】
上記の課題を解決するための第４の考案は、請求項４に記載の考案であり、
前記衿部左右の端縁は、バイアステープ又は共生地を用いて縫製されるか又は、前記衿部は、左右に折り返して縫製されている、ことを特徴としている。
【００１３】
上記の課題を解決するための第５の考案は、請求項５に記載の考案であり、
前記両袖部の下端縁及び両脇部の側縁は、前記前身頃と後見頃の肩線で折りこんで縫製されている、ことを特徴としている。
【００１４】
上記の課題を解決するための第６の考案は、請求項６に記載の考案であり、
前記衿部における衿ぐりは、バイアステープ又は共生地を用いて縫製されている、ことを特徴としている。
【００１５】
上記の課題を解決するための第７の考案は、請求項７に記載の考案であり、
前記裾部が三つ折りで縫製されている、ことを特徴としている。
【００１６】
上記の課題を解決するための第８の考案は、請求項８に記載の考案であり、
前記生地体の素材が綿又はポリエステルもしくは綿とポリエステルの混紡繊維からなる、ことを特徴としている。
【考案の効果】
【００１７】
本考案に係る、簡易仕立袢天は、上記のような特徴的構成要件から構成され、特徴的構成要件に応じた、以下のような本願考案特有の効果を奏する。また上記のような特徴的構成要件から構成された簡易仕立袢天によれば、本願考案の課題を十分
解決することができた。
すなわち、第１の考案によれば、「祭礼や各種イベント又は仕事着として着用する簡易仕立袢天であって、袢天を構成する、前身頃、後見頃、衿部、両袖部、両脇部、裁断線、表示部、裾部及びデザイン部を含む１枚の表地全体に文字、図形、模様、線及び色彩を染色し、前記染色された生地体の不用部分を裁断し、衿部の無地部分及び前身頃と後見頃を肩線で折りこみ、両袖部の下端縁及び両脇部の側縁を縫製した」という特徴的構成により、
袢天製作に伴う複雑な工程を簡素化してコストダウンし、祭りや各種イベント等を開催するクライアントによる袢天の販売価格を安価にとの要望に応えることが可能な簡易仕立袢天の提供という、第１の課題を解決することができた。
また、第２の考案によれば、「前記衿部は前身頃の中央部で一体的に染色されて
いる」という特徴的構成により、
袢天製作に伴う複雑な工程を簡素化してコストダウンし、祭りや各種イベント等を開催するクライアントによる袢天の販売価格を安価にとの要望に応えることが可能な簡易仕立袢天の提供という、第２の課題を解決することができた。
【００１８】
第３の考案によれば、「前記衿部を残して前記前身頃の中央部、左右両脇部及び
前記後見頃の左右両脇部は裁断されている」という特徴的構成により、
また、第４の考案によれば、「前記衿部左右の端縁は、バイアステープ又は共生地を用いて縫製されるか又は、前記衿部は、左右に折り返して縫製されている」という特徴的構成により、
また、第５の考案によれば、「前記両袖部の下端縁及び両脇部の側縁は、前記前身頃と後見頃の肩線で折りこんで縫製されている」という特徴的構成により、
また、第６の考案によれば、「前記衿部における衿ぐりは、バイアステープ又は共
生地を用いて縫製されている」という特徴的構成により、
また、第７の考案によれば、「前記裾部が三つ折りで縫製されている」という特徴的構成により、
袢天の製作に要する材料生地、染色、裁断及び縫製等における作業時間等のロスを少なくすると共に、円滑かつ迅速に製作することが可能な簡易仕立袢天の提供という、第２の課題を解決することができた。
【００１９】
第８の考案によれば、「前記生地体の素材が綿又はポリエステルもしくは綿とポリエステルの混紡繊維からなる」という特徴的構成により、
通気性が良好で速乾性があり、祭りや各種イベント等における着用に適する簡易仕立袢天の提供という、第３の課題を解決することができた。
【図面の簡単な説明】
【００２０】
【図１】は、本考案に係る、第１実施形態である簡易仕立袢天の生地体の平面図である。
【図２】は、同生地体を染色後、裁断工程から縫製工程までの工程を説明する製作工程説明図で、（ａ）は裁断前の生地体の平面図、（ｂ）は裁断後の生地体の平面図、（ｃ）は縫製前の平面図である。
【図３】（ａ）は、縫製工程終了後の簡易仕立袢天の正面図、（ｂ）は背面図である。
【図４】は、本考案に係る、第２実施形態である簡易仕立袢天の生地体の平面図である。
【図５】は、同上生地体を染色後、裁断工程から縫製工程までの工程を説明する製作工程説明図で、（ａ）は裁断前の生地体の平面図、（ｂ）は裁断後の生地体の平面図、（ｃ）は縫製前の平面図である。
【図６】（ａ）は、同上縫製工程終了後の簡易仕立袢天の正面図、（ｂ）は背面図である。
【図７】は、従来における袢天製作工程を説明するための生地体の平面図である。
【図８】は、従来の製作工程で製作された袢天の完成（仕上げ）状態を示すもので、（ａ）は正面図、（ｂ）は背面図である。
【考案を実施するための形態】
【００２１】
図１は、本考案に係る、簡易仕立袢天（以下、袢天Ｈという）の染色が行われる前の生地体Ａを示している。生地体Ａの素材として綿又はポリエステルもしくは綿とポリエステルの混紡繊維が好ましい。袢天Ｈは祭りや各種イベントの参加者又は飲食店の従業員等が上衣として着用し激しく動き回り発汗が著しいので、通気性が良好で速乾性がある綿又はポリエステルが好適である。図中、一点鎖線は裁断線、破線は折込線又は肩線で、斜線（ハッティング）部分は、裁断機等にて切除される部分を示している。Ｃは前身頃１及び後見頃２における裾部１０の裁断線で、Ｃａは左袖部４の裁断線、Ｃｂは左脇部６の裁断線、Ｃｃは右袖部５の裁断線、Ｃｄは右脇部７の裁断線、Ｃｅは後見頃２の左袖部４の裁断線、Ｃｆは後見頃２の左脇部６の裁断線、Ｃｇは後見頃２の右袖部５の裁断線、Ｃｈは右脇部７の裁断線である。Ｃｉは衿部３及び衿ぐり３ａを形成するための裁断線、ＳＬは肩線で、前身頃１と後見頃２の境界線である。
【００２２】
図２（ａ）は、生地体（表地全体）Ａに文字、模様等を染色後の状態を示している。１は前身頃、２は後見頃、３は衿部で一重のままで染色される。３ａは衿ぐり、４は左袖部、５は右袖部、６は左脇部、７は右脇部、８は表示部で例えば、後見頃２の背中部分に染色している「祭」や衿部３の「いらっしゃいませ」等の文字である。９はデザイン部で、例えば、図示するように、両袖部４、５や裾部１０に市松模様等を染色することができる。
【００２３】
図２（ｂ）は、裁断機等によって両袖部４、５、両脇部６、７、裾部１０、衿部３及び衿ぐり３ａ等を同時に裁断した後の状態を示している（図１、参照）。衿部３及び衿ぐり３ａの端縁は、補強材としてバイアステープ又は共生地３ｂを用いてそれぞれ縫着される。
図２（ｃ）における矢印ｄに示すように、前身頃１は肩線ＳＬで折り込まれ後見頃２に接合され、縫製工程に進み、前身頃１と後見頃２における両袖部４、５の下端縁４ａ、５ａは縫着される。両脇部６、７は、５本の糸で地縫いとかがり縫いを１度にして縫着する、いわゆるインターロック縫いされる。また裾部１０は、三つ折りで縫着し、図３（ａ）に示すように、衿部３の左右に胸紐ＳＲを縫着して縫製工程は終了し、袢天Ｈの製作は完了する。
【００２４】
図３（ａ）及び（ｂ）は、縫製工程終了後の袢天Ｈを示している。本考案における簡易仕立袢天Ｈの製作は、袢天製作に伴う複雑な工程を簡素化してコストダウンし、祭りや各種イベント等を開催するクライアントによる袢天Ｈの販売価格を安価にという要望と、袢天Ｈの製作に要する材料生地、染色、裁断及び縫製等における作業時間等のロスを少なくすると共に、円滑にかつ迅速に製作するという課題を解決し、祭りや企業等の展示会、キャンペーン等のイベント、あるいは町内会等の地域行事、会社創立記念行事等においても多数着用し、イベント等の興趣、雰囲気等をおおいに盛り上げることができる、有意義な考案である。
【００２５】
図４〜図６は、本考案に係る袢天Ｈ２の第２の実施形態を示し、図４は染色が行われる前の生地体Ａ２を示している。生地体Ａ２の素材としては、第１実施形態と同様に綿又はポリエステルもしくは綿とポリエステルの混紡繊維が好適である。生地体Ａ２と第１実施形態における生地体Ａとの相違点は、衿部３にあり、生地体Ａ２には衿部３の左右に折込線Ｃｊ、Ｃｊが設けられ、当該折込線Ｃｊ、Ｃｊの内側に衿部３を形成するための裁断線Ｃｉ、Ｃｉが設けられている点にある。図中の一点鎖線、破線及び斜線（ハッティング）部分等は、第１実施形態と同様であるから、その説明は省略する。
【００２６】
図５（ａ）は、生地体（表地全体）Ａ２に文字、模様等を染色後の状態を示している。
図５（ｂ）は、裁断機等によって両袖部４、５、両脇部６、７、裾部１０、衿部３及び衿ぐり３ａ等を同時に裁断した後の状態を示している。衿部３は、その左右に設けられた折込線Ｃｊ、Ｃｊが矢印ｄ、ｄで示すように山折りされて縫着される。図５（ｃ）における矢印ｄに示すように、前身頃１は肩線ＳＬで折り込まれ、後見頃２に接合され、縫製工程に進み、前身頃１と後見頃２における両袖部４、５の下端縁４ａ、５ａは縫着される。両脇部６、７は、５本の糸で地縫いとかがり縫いを１度にして縫着する、いわゆるインターロック縫いされる。また裾部１０は、三つ折りで縫着されて縫製工程は終了し、袢天Ｈ２の製作は完了する。
図６（ａ）及び（ｂ）は、縫製工程終了後の袢天Ｈ２を示している。
【符号の説明】
【００２７】
Ｈ、Ｈ２            袢天
Ａ、Ａ２            生地体（表地全体）
Ｃ                  裁断線
Ｃｊ                折込線
ＳＬ                肩線
ＳＲ                胸紐